(57)【特許請求の範囲】
【請求項１】
冷却貯蔵庫本体天面に設けられた連通口と対向する開口を有するベースと、前記開口を覆うように配置されると共に内部に冷却器を収容し、下部ケースとその上面に被着される上部ケースとに二分割される断熱ケースと、前記断熱ケースの側面と上面とを押さえつけるよう門型形状に形成され前記上下のケースを締結するための締結バンドと、前記ベース上に載置される圧縮機、凝縮器及び凝縮器ファン等からなる冷凍装置とを備えた冷凍機ユニットにおいて、
前記圧縮機、及び凝縮器が載置される側の前記締結バンドに、前記断熱ケースの外方に突出する案内板が設けられ、
前記断熱ケースの外表面に凹溝を形成すると共に、該凹溝を覆うように断熱ケースの外表面に表面材を貼着することで凹溝と表面材とにより空気の流通路を形成し、該流通路内に前記凝縮器ファンからの排気を前記案内板を介して案内するようにしたことを特徴とする冷凍機ユニット。
【発明の詳細な説明】
【技術分野】
【０００１】
この発明は、プレハブ式冷蔵庫等の冷却貯蔵庫の天面に載せられる冷凍機ユニットに関するものである。
【背景技術】
【０００２】
従来、プレハブ式の冷却貯蔵庫は、図１に示すように断熱パネルを組み立ててなる箱体２の天面３に適宜寸法に加工した連通口（図示せず）の上部に冷凍機ユニット１０を載置している。図２に示すように、冷凍機ユニット１０はベース１２の上に、圧縮機１５、凝縮器１６、制御部品が入った電装箱１８及び凝縮器ファン１９が載置されている。また、ベース１２には、箱体２の天面３に設けられた連通口に対向するように開口（図示せず）が設けられており、この開口を覆うように断熱ケース２０が配設され、内部に冷却器２４と冷却ファン２５を収容している。この断熱ケース２０は、下部ケース２１と、その上面に被着される上部ケース２２とに二分割されるようになっており、２本の締結バンド２３を取り外すことで上部ケース２２が取り外せ、内部に収容された冷却器２４と冷却ファン２５をメンテナンスできるようになっている（特許文献１参照）。下部ケース２１には、ベース１２に設けられた開口を介して、前記連通口と対向するように吸気口２７及び排気口２８が設けられており、冷却ファン２５によって貯蔵庫内の空気を吸気口２７から吸い込み、冷却器２４と熱交換させた後、排気口２８から貯蔵庫内へ戻すことで貯蔵庫内を冷却している。
【０００３】
上述のように構成された冷凍機ユニット１０では、断熱ケース２０によって冷気が外部に漏れないように考慮されているものの、完全に遮断することは難しく、熱伝導によって断熱ケース２０及び近辺のベース１２が冷やされ、結露が発生してしまうことがあった。そこで、断熱ケース２０の周囲に板金等でエアダクトを形成し、このエアダクト内に凝縮器ファンからの暖かい排気を案内することで結露の発生を防止しているものがある（特許文献２参照）。
【特許文献１】特開２００７−１８３０６６号公報
【特許文献２】特開２００３−０６５６５１号公報
【発明の開示】
【発明が解決しようとする課題】
【０００４】
しかしながら、前記特許文献２のエアダクトは、部材点数が多くコストアップの要因となっていた。また、冷却器２４や冷却ファン２５等のメンテナンスを行う際には、上部ケース２２を取り外す前にエアダクトを取り外す必要があり、メンテナンス時の工数が増加してしまうという問題があった。
【０００５】
すなわち本発明は、前述した従来の技術に内在している前記課題に鑑み、これを好適に解決するべく提案されたものであって、部品点数を大幅に増やすことなく結露の発生を抑制できる冷凍機ユニットを提供することを目的とする。
【課題を解決するための手段】
【０００６】
前記課題を克服し、所期の目的を好適に達成するため、本発明に係る冷凍機ユニットは、
冷却貯蔵庫本体天面に設けられた連通口と対向する開口を有するベースと、前記開口を覆うように配置されると共に内部に冷却器を収容し、下部ケースとその上面に被着される上部ケースとに二分割される断熱ケースと、前記断熱ケースの側面と上面とを押さえつけるよう門型形状に形成され前記上下のケースを締結するための締結バンドと、前記ベース上に載置される圧縮機、凝縮器及び凝縮器ファン等からなる冷凍装置とを備え、前記圧縮機、及び凝縮器が載置される側の前記締結バンドに、前記断熱ケースの外方に突出する案内板が設けられ、前記断熱ケースの外表面に凹溝を形成すると共に、該凹溝を覆うように断熱ケースの外表面に表面材を貼着することで凹溝と表面材とにより空気の流通路を形成し、該流通路内に前記凝縮器ファンからの排気を前記案内板を介して案内するようにしたことを特徴とする。
【発明の効果】
【０００７】
本発明に係る冷凍機ユニットによれば、部品点数を大幅に増やすことなく断熱ケース近辺の結露の発生を抑制できる。
【発明を実施するための最良の形態】
【０００８】
次に、本発明に係る冷凍機ユニットにつき、好適な実施例を挙げて、図３乃至図９を参照しながら以下説明する。なお、冷凍機ユニットにおける圧縮機、凝縮器等の基本的な構成及び配置関係は前述した特許文献１と同様であるので詳細な説明は省略し、発明に係わる部分について主に説明する。また、説明における前後左右の方向については、図１及び図２の紙面手前側を「前方」、紙面裏側を「後方」、紙面の左右をそのまま「左右」とする。
【実施例】
【０００９】
図３に示すように、本発明に係る断熱ケース３０は、上面及び前後面に左右方向に延在する複数本の凹溝が形成されている。正面及び裏面にはそれぞれ３本ずつの凹溝３２がそれぞれ平行となるよう形成され、上面には５本の凹溝３４がそれぞれ平行となるよう形成されている。この凹溝３２の左右端部は、凹溝３２の延在方向の端面がそれぞれ開放しており、流入側開口３８と流出側開口４０とが形成されている。更に、上面における凹溝３４の左側端面、すなわち圧縮機や凝縮器が設けられた側の端面も開放しており、流入側開口４２が形成されている。また、図４に示すように、背面には凹溝３４の右側端部と連通するように縦方向の凹溝３６が設けられている。
【００１０】
以上のように形成された断熱ケース３０には、図５及び図６に示すように断熱ケース３０の外表面の略全面にわたって表面材３７が貼着される。表面材３７は、凹溝３２、３４、３６を塞ぐように貼着され、凹溝と表面材３７との間に空間Ｓが形成されるようになっている。また、凹溝３２、３４における流入側開口３８、４２に対応した位置には表面材３７を設けないことで、空気の流入口４４が形成されている。更に、凹溝３２の流出側開口４０と、凹溝３６の下端部の所要範囲に対応する位置にも表面材３７を設けないことで空気の流出口４６（図１０参照）が形成されている。以上のように、各流入口４４と流出口４６とが凹溝３２、３４、３６と表面材３７との間に形成される空間Ｓを介して連通されることで空気の流通路５０が形成されている。なお、断熱ケース３０はスチロールやウレタン等の断熱発泡体によって成形され、表面材３７はアルミ箔や難燃性の樹脂、板金等により成形される。また、メンテナンス時に断熱ケース３０の上部ケースが取り外せるように、表面材３７は上部ケースと下部ケースとで区切って貼着されている。
【００１１】
次に、断熱ケース３０における上下のケースを締結するための締結バンドを図７を用いて説明する。ただし、右側の締結バンドは特許文献１と同様であるので説明は省略し、左側（圧縮機等が配置された側）の締結バンドについて説明する。本発明に係る締結バンド６０は、２本の縦板６２と横板６４とにより門型形状に形成されている。そして、縦板６２の下端部にはベース１２に固定するための固定部６６が設けられている。この固定部６６をベース１２にネジ固定することにより、縦板６２が断熱ケース３０の前後面を、横板６４が断熱ケース３０の上面をそれぞれ押さえつけ、断熱ケース３０における上下のケースが締結される。また、手前側の縦板６２における左側端部には左奥方向に約４５度の角度で、奥側の縦板６２における左側端部には左手前方向に約４５度の角度で案内板６８がそれぞれ縦方向に延在して設けられている。更に、横板６４における左側端部には左下方向に約４５度の角度で案内板６９が前後方向に延在して設けられている。
【００１２】
次に、上記のように構成された断熱ケース３０及び締結バンド６０が取り付けられた冷凍機ユニット７０における凝縮器ファン１９からの排気の流れを図８乃至図１０を用いて説明する。なお、図中の矢印は排気の流れを示している。図８に示すように、凝縮器ファン１９によって凝縮器１６と熱交換を行った後の暖かい排気が、途中で圧縮機１５とも熱交換を行うことでより暖かい排気となって断熱ケース３０へと送られる。排気は、断熱ケース３０の左側面と衝突することで拡散するが、締結バンド６０の案内板６８、６９により一部の排気が流入口４４へと案内される。各流入口４４へ案内された排気は、図９及び図１０に示すように、断熱ケース３０の上面、前後面、右側面に形成された流通路５０を通過し、最終的に右側面に形成された各流出口４６から空気中に放出される。
【００１３】
このように、実施例の冷凍機ユニット７０によれば、断熱ケース３０の外表面に形成された流通路５０に凝縮器ファン１９からの排気を通過させることで、断熱ケース３０の外表面（前後面、上面、右側面）の温度を上昇させることができる。左側面は排気が直接当たる場所であるため、流通路５０は設けなくとも暖められる。また、右側面の底辺に形成された流出口４６のようにベース１２に隣接させて流出口を設けることで、凝縮器ファン１９から最も遠い所に位置する右側のベース１２にも直接排気が当たり温度上昇するようになっている。以上のように、断熱ケース３０の外表面が暖められることで冷気の熱伝導が抑えられ、断熱ケース３０とその近辺の部材（ベース１２、締結バンド６０等）における結露の発生が抑制される。表面材３７として板金等の熱伝導性の良い不燃材を用いれば、外表面の温度が均一に素早く上がるためより効果的である。また、断熱ケース３０内のメンテナンスは、従来通り左右の締結バンドを取り外せば上部ケースを取り外して行うことができる。
【００１４】
〔変更例〕
本発明では、前述の実施例に限定されず、以下の如く変更することも可能である。
(１)凹溝の本数は、実施例の本数に限定されず、何本としてもよい。また、凹溝の断面形状も、四角に限らず、Ｕ字形状や逆三角形等の他の形状としてもよい。更に、凹溝は直線でなく蛇行状等の他の形状とすることで熱交換率を上げてもよい。
(２)断熱ケースの右側面だけではなく前後面においてもベースに隣接させて流出口を設けてもよい。また、流通路をベースに隣接させて設けてもよい。これにより、ベースにおける結露がより抑制できる。
(３)締結バンドに案内板を設けることで流通路内に排気を案内するようにしたが、断熱ケース自体に案内部材を一体成形してもよい。
(４)締結バンドにおける案内板の角度は、４５度に限定されず何度であってもよい。
【図面の簡単な説明】
【００１５】
【図１】従来のプレハブ式冷却貯蔵庫の概略構成図である。
【図２】従来の冷凍機ユニットの斜視図である。
【図３】実施例に係る表面材貼着前の断熱ケースの前方斜視図である。
【図４】実施例に係る表面材貼着前の断熱ケースの後方斜視図である。
【図５】実施例に係る表面材貼着後の断熱ケースの一部を切り欠いた前方斜視図である。
【図６】実施例に係る表面材貼着後の断熱ケースの一部を切り欠いた縦断面図である。
【図７】実施例に係る締結バンドの斜視図である。
【図８】実施例に係る冷凍機ユニットの平面図である。
【図９】実施例に係る冷凍機ユニットの正面図である。
【図１０】実施例に係る冷凍機ユニットの右側面図である。
【符号の説明】
【００１６】
１９  凝縮器ファン，３０  断熱ケース，３２、３４、３６  凹溝，３７  表面材，４４  流入口，４６  流出口，５０  流通路，６０  締結バンド，６８、６９  案内板，７０  冷凍機ユニット。
【図１】
0005348731.tif 000002
【図２】
0005348731.tif 000003
【図３】
0005348731.tif 000004
【図４】
0005348731.tif 000005
【図５】
0005348731.tif 000006
【図６】
0005348731.tif 000007
【図７】
0005348731.tif 000008
【図８】
0005348731.tif 000009
【図９】
0005348731.tif 000010
【図１０】
0005348731.tif 000011